(57)【特許請求の範囲】
【請求項１】
遊技盤が取着される前面枠と、その前面枠に開閉自在に取着されると共に前記遊技盤の前面に透明部材を支持する透明部材保持枠とを備えた遊技機において、
前記遊技盤に植立され、その内側に遊技球が打ち込まれる遊技領域を形成する外レールと、
前記透明部材よりも前方に配設され、前記前面枠または前記透明部材保持枠の前面を装飾し又は所定の遊技状態を報知するための光を発する発光装置と、
その発光装置から発せられる光の一部を、前記透明部材の前面と前記外レールとの間から前記遊技領域に向けて伝達する光伝達部材とを備えていることを特徴とする遊技機。
【請求項２】
前記前面枠または前記透明部材保持枠の前面として、前記発光装置の前方であって前記透明部材の前面よりも前方に配設され、前記発光装置が発する光を透過させる発光装置カバーと、
前記透明部材の前面から前方に突出する前記透明部材保持枠の一部であって、前記発光装置カバーから前記透明部材の前面までの間を塞ぎ、前記発光装置が発する光の透過を防止する遮光部材とを備えていることを特徴とする請求項１に記載の遊技機。
【発明の詳細な説明】
【技術分野】
【０００１】
本発明は、パチンコ機などの遊技機に関し、特に、遊技機の大幅なコストアップを回避しつつ、遊技盤の遊技領域を光によって明るくしたり装飾したりすることができる遊技機に関するものである。
【背景技術】
【０００２】
近年、パチンコ機などに代表される弾球遊技機は、装飾用ランプやスピーカーなどといった電気部品の多様化や大型化により、それらの電気部品を搭載すると共に、遊技盤の前側に配設されるガラス枠がその前方側へ突出して形成される傾向にある。このように、ガラス枠が前方側へ突出することにより、ガラス枠の内側に配設された遊技盤の遊技領域はガラス枠の影によって暗くなる。そこで、ガラス枠の影によって暗くなった遊技盤の遊技領域を発光装置（照明）で明るくすることが望まれている。また、遊技の演出効果的にも、遊技盤の遊技領域は発光装置によって装飾されているのが好ましい。
【０００３】
これに対し、特開平１０−２１６３０５号公報には、遊技盤の遊技領域を発光装置で照射した遊技機が記載されている。特開平１０−２１６３０５号公報に記載の遊技機では、前面枠またはガラス枠の前面を装飾し又は所定の遊技状態を報知する通常の装飾用ランプとは別に、遊技盤の遊技領域を照射するための専用の遊技盤照射装置がガラス枠や遊技盤に配設されている。
【発明の概要】
【発明が解決しようとする課題】
【０００４】
しかしながら、かかる遊技機では、遊技盤の遊技領域を光によって明るくしたり装飾したりするために、別途遊技盤照射装置を必要とするため、遊技機の大幅な設計変更が必要であると共に遊技機の大幅なコストアップを招いてしまうという問題点がある。さらに、発光装置や遊技盤照射装置といった電気部品の数が増えるので、遊技機の消費電力を大きくしてしまうという問題点がある。
本発明は、上述した問題点を解決するためになされたものであり、遊技機の大幅なコストアップを回避しつつ、遊技盤の遊技領域を光によって明るくしたり装飾したりすることができる遊技機を提供することを目的としている。
【課題を解決するための手段】
【０００５】
この目的を達成するために、請求項１記載の遊技機は、遊技盤が取着される前面枠と、その前面枠に開閉自在に取着されると共に前記遊技盤の前面に透明部材を支持する透明部材保持枠とを備えたものであって、前記遊技盤に植立され、その内側に遊技球が打ち込まれる遊技領域を形成する外レールと、前記透明部材よりも前方に配設され、前記前面枠または前記透明部材保持枠の前面を装飾し又は所定の遊技状態を報知するための光を発する発光装置と、その発光装置から発せられる光の一部を、前記透明部材の前面と前記外レールとの間から前記遊技領域に向けて伝達する光伝達部材とを備えている。
請求項２記載の遊技機は、請求項１記載の遊技機において、前記前面枠または前記透明部材保持枠の前面として、前記発光装置の前方であって前記透明部材の前面よりも前方に配設され、前記発光装置が発する光を透過させる発光装置カバーと、前記透明部材の前面から前方に突出する前記透明部材保持枠の一部であって、前記発光装置カバーから前記透明部材の前面までの間を塞ぎ、前記発光装置が発する光の透過を防止する遮光部材とを備えている。
【発明の効果】
【０００６】
請求項１記載の遊技機によれば、遊技盤が取着される前面枠と、その前面枠に開閉自在に取着されると共に前記遊技盤の前面に透明部材を支持する透明部材保持枠とを備えたものであって、前記遊技盤に植立され、その内側に遊技球が打ち込まれる遊技領域を形成する外レールと、前記透明部材よりも前方に配設され、前記前面枠または前記透明部材保持枠の前面を装飾し又は所定の遊技状態を報知するための光を発する発光装置と、その発光装置から発せられる光の一部を、前記透明部材の前面と前記外レールとの間から前記遊技領域に向けて伝達する光伝達部材とを備えている。よって、遊技盤の遊技領域を照射するための遊技盤照射装置を別途設ける必要がないので、遊技機の大幅なコストアップを回避しつつ、遊技盤の遊技領域を光によって明るくしたり装飾したりすることができるという効果がある。
【図面の簡単な説明】
【０００７】
【図１】本発明の一実施例であるパチンコ遊技機の正面図である。
【図２】ガラス枠を開いた状態のパチンコ遊技機の正面図である。
【図３】図１中のＡ−Ａ線における第１実施例のガラス枠装飾部材周辺部の側断面図である。
【図４】（ａ）は、第２実施例のランプ取り付け基板ユニットの正面図であり、（ｂ）は、ランプ取り付け基板ユニットをガラス枠に取り付けた状態のガラス枠の背面図である。
【図５】図１中のＢ−Ｂ線における第２実施例のガラス枠上部近傍の側断面図である。
【図６】図１中のＡ−Ａ線における第３実施例のガラス枠装飾部材周辺部の側断面図である。
【図７】図１中のＡ−Ａ線における第３実施例の変形例のガラス枠装飾部材周辺部の側断面図である。
【図８】図１中のＡ−Ａ線における第４実施例のガラス枠装飾部材周辺部の側断面図である。
【図９】変形例としてのパチンコ遊技機の正面図である。
【図１０】ガラス枠を開いた状態の変形例としてのパチンコ遊技機の正面図である。
【図１１】図９中のＣ−Ｃ線におけるガラス枠装飾部材周辺部の側断面図である。
【発明を実施するための形態】
【０００８】
以下、本発明の好ましい実施例について、添付図面を参照して説明する。図１は、本発明の一実施例であるパチンコ遊技機１の正面図である。なお、図１においては、理解を容易にするために、遊技盤５上の部材は省略して図示している。このパチンコ遊技機１は、いわゆる第１種パチンコ遊技機であり、その略上半分の前面（図１の紙面に対して手前側）には、ガラス枠２が配設されている。
【０００９】
このガラス枠２は略額縁状に形成されており、前面側（図１の紙面に対して手前側）に突出して形成されている。このようなパチンコ遊技機１では、前面側へ突出して形成されたガラス枠２の影によって後述する遊技盤５の遊技領域１０を暗くすることができるので、発光装置の光によって遊技盤５を効果的に照らし出すことができる。
【００１０】
ガラス枠２の随所には、ガラス枠２の前面を光で装飾したり、所定の遊技状態を光で報知するガラス枠装飾部材３が配設されている。それぞれのガラス枠装飾部材３の表面には、赤や黄色の色付き透明樹脂で形成された発光装置カバー３ａが覆設されている。その発光装置カバー３ａの後方（図１の紙面に対して奥側）には、ランプ取り付け基板３ｂが配設されており、そのランプ取り付け基板３ｂの表面には、多数のランプ３ｃが列設されている。このランプ３ｃとランプ取り付け基板３ｂとで発光装置を構成している。
【００１１】
なお、ガラス枠２の上側中央に配設された略台形状のガラス枠装飾部材３と、その両側に配設された円形状のガラス枠装飾部材３とは、１枚のランプ取り付け基板３ｂを共用している。また、発光装置の光源の種類は特に限定されるものではなく、ランプ３ｃの代わりに発光ダイオード（ＬＥＤ）で構成されていても良い。
【００１２】
これらのランプ３ｃは、通常の遊技中に点灯したり点滅したりするだけでなく、「大当たり」や「確率変動」など遊技状態の変化に応じても点灯したり点滅したりする。よって、遊技者に現在の遊技状態を報知すると共に、特別な遊技状態を演出してゲームの興趣を高める効果がある。なお、これらのランプ３ｃは、遊技中には常時点灯し続けるように設定されていても良い。
【００１３】
ガラス枠２の略中央部分には、略馬蹄形状の開口２ａが形成されており、その開口２ａの後方（図１の紙面に対して奥側）には、略矩形状の外ガラス板４ａと内ガラス板４ｂとがそれぞれ配設されている。外ガラス板４ａは、内ガラス板４ｂよりも前方（図１の紙面に対して手前側）に配設されている。この２重に配設された外ガラス板４ａおよび内ガラス板４ｂは、ガラス枠２に対してそれぞれ着脱可能に装着されている。
【００１４】
内ガラス板４ｂの後方（図１の紙面に対して奥側）には、遊技球（打球）Ｐが打ち込まれる遊技盤５が配設されている。また、ガラス枠２の正面に向かって左側の上下両コーナー部分には、ヒンジ６が取り付けられており、ガラス枠２はこのヒンジ６を回転軸として後述する前面枠７に対して開閉動自在に構成されている。このように、ガラス枠２を前面枠７に対して開閉動自在に構成することにより、玉詰まりなど遊技盤５の不調時に、ガラス枠２を開けて遊技盤５の調整作業を容易に行うことができるのである。
【００１５】
図２を参照して、ガラス枠２を開いた状態のパチンコ遊技機１について説明する。図２は、ガラス枠２を開いた状態のパチンコ遊技機１の正面図である。なお、理解を容易にするために、開いたガラス枠２は省略して図示している。また、図１と同様に、遊技盤５上の部材は省略して図示している。図２に示すように、パチンコ遊技機１の略中央には、ベニヤ板で形成された略矩形状の遊技盤５が配設されており、その遊技盤５の周囲には、略矩形額縁状に形成された前面枠７が周設されている。なお、遊技盤５は、前面枠７に対して着脱可能に構成されている。
【００１６】
遊技盤５の前面には、金属で略円弧状に形成された外レール８が植立され、その外レール８の内側位置には、同じく金属で略円弧状に形成された内レール９が植立されている。この内レール９および外レール８により囲まれた遊技盤５の前面には、打球（遊技球）Ｐが打ち込まれる遊技領域１０が形成されている。
【００１７】
図３を参照して、第１実施例のガラス枠装飾部材３の周辺部の詳細について説明する。図３は、図１中のＡ−Ａ線における第１実施例のガラス枠装飾部材３周辺部の側断面図である。なお、理解を容易にするために、遊技盤５上の部材は省略して図示している。
【００１８】
図３に示すように、ガラス枠２の前面（図３における左方）には発光装置カバー３ａが配設されると共に、その発光装置カバー３ａの後方（図３における右方）におけるガラス枠２の内部には、多数のランプ３ｃが列設されたランプ取り付け基板３ｂが配設されている。よって、ランプ３ｃが発光すると、そのランプ３ｃが発した光は発光装置カバー３ａを透過して、遊技者に色付きの光として視認される。なお、ランプ３ｃは、パチンコ遊技機１に対して可動自在に構成されていても良い。かかる構成によれば、ランプ３ｃが発する光に動きが加わるので、装飾効果を高めることができる。
【００１９】
ガラス枠２には、略矩形状の外ガラス板４ａと内ガラス板４ｂとが所定の間隔をあけてそれぞれ配設されており、内ガラス板４ｂは遊技盤５との間に所定の間隔をあけつつ、外ガラス板４ａと遊技盤５との間に位置している。また、遊技盤５には外レール８が植立されており、その外レール８の内側（図３における下方）には遊技領域１０が形成されている。
【００２０】
略矩形状の外ガラス板４ａおよび内ガラス板４ｂの外周には、外ガラス板４ａおよび内ガラス板４ｂをガラス枠２に固定する略矩形額縁状のガラス固定部材１１が周設されている。図３では、そのガラス固定部材１１の上辺１１ａが断面として図示されている。このガラス固定部材１１の上辺１１ａは、透光性を有した透光部材で形成されている。
【００２１】
このように、ガラス固定部材１１の上辺１１ａを透光性を有した透光部材で形成することにより、発光装置であるランプ３ｃが発する光を、ガラス固定部材１１の上辺１１ａを透過させて外ガラス板４ａと内ガラス板４ｂとの間を通過させ、遊技盤５の遊技領域１０へ照射することができる。
【００２２】
ここで、図３中では、ランプ３ｃが発する光の道筋を矢印Ｒで示しているが、ランプ３ｃから発光されて遊技盤５の遊技領域１０へ到達するまでの光の通路（道筋）を光路とする。このように、発光装置であるランプ３ｃの周囲には、そのランプ３ｃが発する光を遊技盤５の遊技領域１０へ通過させるための光路を備えているので、ガラス枠２の前面を装飾したり、所定の遊技状態を報知するランプ３ｃを、遊技盤５の遊技領域１０を照射する遊技盤照射装置として兼用することができる。
【００２３】
このように、ガラス枠２の前面を装飾したり、所定の遊技状態を報知するランプ３ｃを、遊技盤５の遊技領域１０を照射する遊技盤照射装置として兼用することにより、その遊技盤照射装置をパチンコ遊技機１に別途設ける必要がないので、パチンコ遊技機１の大幅なコストアップを回避しつつ、遊技盤５の遊技領域１０を光によって明るくしたり装飾したりすることができるのである。
【００２４】
また、遊技盤５の遊技領域１０を光によって明るくしたり装飾したりするために遊技盤５に特別な加工を施す必要がないので、従来の遊技盤５をそのまま使用することができる。さらに、かかる構成によれば、遊技盤５の遊技領域１０を照射しているランプ３ｃが遊技者から直接見えないので、パチンコ遊技機１の美観を維持することができる。
【００２５】
なお、本実施例では、ガラス固定部材１１の上辺１１ａを透光性を有した透光部材で形成したが、光を通過させることが可能であればその他の構成であっても良い。例えば、ガラス固定部材１１の上辺１１ａに孔または開口が形成されていても良い。かかる構成によれば、ランプ３ｃが発する光をガラス固定部材１１の上辺１１ａを通過させて、遊技盤５の遊技領域１０へ照射することができる。さらに、ガラス固定部材１１の上辺１１ａに孔または開口を形成する場合には、ガラス固定部材１１の上辺１１ａにわずかな加工を施すだけで良いので、パチンコ遊技機１の加工コストの増加を抑えることができる。
【００２６】
ここで、ガラス固定部材１１の上辺１１ａを形成する透光部材の色は、ガラス枠２の前面に配設された発光装置カバー３ａの色と異なっていても良い。かかる構成によれば、ランプ３ｃが発する単一色の光によって、発光装置カバー３ａの発光色と遊技盤５の遊技領域１０へ照射される光の色とを異ならせることができるので、あたかも２種類のランプ３ｃが存在するかのような効果を遊技者に与えることができる。
【００２７】
図３に示すように、ランプ３ｃは、２重に配設された外ガラス板４ａと内ガラス板４ｂとのそれぞれの延長線上の間に位置している。かかる構成によれば、ランプ３ｃが発する光を後述する光伝達部材を用いることなく遊技盤５の遊技領域１０に直接照射することができるので、パチンコ遊技機１のコストアップを回避することができる。
【００２８】
また、図３に示すように、遊技領域１０の外周を構成する外レール８の両縁端部近傍は透明な樹脂である透光部材８ａで形成されている。かかる構成によれば、ランプ３ｃが発する光を外レール８を透過させて遊技盤５の遊技領域１０へ照射することができる。なお、本実施例では、外レール８の両縁端部近傍を透明な樹脂である透光部材８ａによって形成したが、光を通過させることが可能であればその他の構成であっても良い。例えば、外レール８の両縁端部近傍に孔または開口が形成されていても良い。
【００２９】
ここで、透光部材８ａや孔または開口は、外レール８の両縁端部近傍に形成されているので、球体である遊技球Ｐが両縁端部近傍の透光部材８ａや孔または開口に直接接触することはない。よって、透光部材８ａに遊技球Ｐが接触して透光部材８ａの透明度が落ちて、透光率が低下するのを防止することができる。また、外レール８に形成された孔または開口に遊技球Ｐが接触して遊技球Ｐの進路が変更され、遊技者に不快感を与えるのを防止することができる。
【００３０】
ガラス枠２の下方における発光装置カバー３ａとガラス固定部材１１の上辺１１ａとの間には、ガラス枠２の一部であると共に、ランプ３ｃが発する光の透過を防止する遮光部材２ｂが配設されている。かかる構成によれば、ランプ３ｃが発する光は、ガラス固定部材１１の上辺１１ａよりも前方側（図３における左方）に配設された外ガラス板４ａの外側（前方側）へは照射されない。よって、外ガラス板４ａの表面でランプ３ｃが発する光が反射して外ガラス板４ａが光り、遊技盤５の視認性を損なうのを防止することができる。
【００３１】
また、ランプ３ｃの前面側（発光装置カバー３ａ側）および遊技領域１０側には、ランプ３ｃが発する光の通過と非通過とを切り替えるシャッター状の光遮断部材（図示せず）が配設されていても良い。かかる構成によれば、ガラス枠２の前面における発光装置カバー３ａの発光、または遊技盤５の遊技領域１０の照射を個別に行うことができるので、パチンコ遊技機１全体としての発光および照射のパターンを多様化させることができる。例えば、ガラス枠２の前面における発光装置カバー３ａは、「大当たり」など特別な遊技状態の時に発光するのに対して、遊技盤５の遊技領域１０は常時ランプ３ｃが発する光によって照射されるように構成されていても良い。
【００３２】
なお、第１実施例では、ガラス枠２の開口２ａの上部に配設されたガラス枠装飾部材３（トップランプ）の周辺部の構成について説明したが、ガラス枠２の開口２ａの両側部に配設されたガラス枠装飾部材３（サイドランプ）の周辺部がトップランプの周辺部と同様に構成されていても良い。かかる構成によれば、遊技盤５の遊技領域１０全体をランプ３ｃが発する光によって明るくしたり、装飾したりすることができる。
【００３３】
ここで、第１実施例では、ガラス固定部材１１の上辺１１ａを透光性を有した透光部材で形成したり、ガラス固定部材１１の上辺１１ａに孔または開口を形成することによって、ランプ３ｃが発する光を遊技盤５の遊技領域１０へ照射したが、ランプ３ｃが発する光を遊技盤５の遊技領域１０へ通過（透過）させることが可能であればその他の構成であっても良い。
【００３４】
例えば、第１実施例では、外ガラス板４ａおよび内ガラス板４ｂの略全周にわたってガラス固定部材１１が周設されていたが、このガラス固定部材１１を部分的に配置して外ガラス板４ａおよび内ガラス板４ｂをガラス枠２に固定しても良い。つまり、ガラス固定部材１１を、ランプ３ｃと遊技領域１０との間以外の部分に配置すれぱ、ランプ３ｃが発する光がガラス固定部材１１によって遮られるのを防止することができる。従って、ランプ３ｃが発する光を外ガラス板４ａと内ガラス板４ｂとの間を通過させて、確実に遊技盤５の遊技領域１０へ照射することができるのである。
【００３５】
さらに別の例として、図４、図５に第２実施例を示す。第２実施例では、前記した第１実施例に対して、次の点が変更されている。第１実施例では、外ガラス板４ａおよび内ガラス板４ｂの略全周にわたってガラス固定部材１１が周設されていた。それに対して、第２実施例では、ガラス固定部材１１の上辺１１ａが発光装置であるランプ３ｃの反遊技領域１０側に配設（周設）されている。なお、他の部分は前記した第１実施例と同様であるので、第１実施例と同一の部分には同一の符号を付し、その説明を省略する。
【００３６】
図４（ａ）は、第２実施例のランプ取り付け基板ユニット２０の正面図であり、図４（ｂ）は、ランプ取り付け基板ユニット２０をガラス枠２に取り付けた状態のガラス枠２の背面図である。図４（ａ）に示すように、ランプ取り付け基板ユニット２０は、ランプ取り付け基板２０ａやガラス固定部材２１の上辺２１ａなどから構成されている。ランプ取り付け基板２０ａの表面には、多数のランプ３ｃが列設されており、このランプ３ｃとランプ取り付け基板２０ａとで発光装置を構成している。
【００３７】
ランプ取り付け基板２０ａの上端部には、後述するガラス固定部材２１の側辺２１ｃが外方に拡がるのを防止するガラス固定部材２１の上辺２１ａが、ランプ取り付け基板２０ａの前方側（図４（ａ）における手前側）へ突出しつつ固着されている。そのガラス固定部材２１の上辺２１ａの両端には、ガラス固定部材２１の上辺２１ａをガラス固定部材２１の側辺２１ｃに着脱可能に取着するための差込金具２１ｂがそれぞれ固着されている。差込金具２１ｂは平板状の金属片が略Ｌ字形に屈曲されており、更にその先端部近傍は「くの字形」に屈曲されている。この「くの字形」に屈曲された部分が板バネの役割を果たすのである。
【００３８】
図４（ｂ）に、以上のように構成されたランプ取り付け基板ユニット２０をガラス枠２の裏面に取着した状態を示す。ガラス枠２の開口２ａを取り囲む位置には、外ガラス板４ａおよび内ガラス板４ｂをガラス枠２に取着するためのガラス固定部材２１の側辺２１ｃとガラス固定部材２１の底辺２１ｄとが、上方が開放された「コの字形」に周設されている。ガラス固定部材２１の側辺２１ｃの断面は中空状に形成されており、その中空部に前述したランプ取り付け基板ユニット２０の差込金具２１ｂを挿入することにより、ランプ取り付け基板ユニット２０がガラス枠２に着脱可能に装着される。
【００３９】
図５を参照して、ランプ取り付け基板ユニット２０がガラス枠２に装着された状態の詳細を説明する。図５は、図１中のＢ−Ｂ線における第２実施例のガラス枠２上部近傍の側断面図である。なお、理解を容易にするために、遊技盤５上の部材は省略して図示している。図５に示すように、ガラス固定部材２１の上辺２１ａは、ランプ３ｃの反遊技領域１０側に配設されているので、ランプ３ｃが発する光をガラス固定部材２１の上辺２１ａを通過させる必要がない。
【００４０】
よって、ガラス固定部材２１の上辺２１ａの一部を透光性を有した部材で形成したり、孔または開口を形成したりする必要がない。さらに、ランプ３ｃと遊技盤５の遊技領域１０との間には、ガラス固定部材２１の上辺２１ａが存在しないので、外ガラス板４ａと内ガラス板４ｂとの間に発光装置であるランプ３ｃやランプ取り付け基板２０ａを配設することができる。よって、ランプ３ｃが発する光を、遊技盤５の遊技領域１０に至近距離から照射することができるのである。
【００４１】
次に、図６を参照して、第３実施例について説明する。図６は、図１中のＡ−Ａ線における第３実施例のガラス枠装飾部材３周辺部の側断面図である。なお、理解を容易にするために、遊技盤５上の部材は省略して図示している。第３実施例では、前記した第１実施例に対して、次の点が変更されている。第１実施例では、ランプ３ｃは、２重に配設された外ガラス板４ａと内ガラス板４ｂとのそれぞれの延長線上の間に配置されていた。
【００４２】
通常のパチンコ遊技機１では、ガラス枠２は樹脂により形成されているため、それ自体の剛性が極めて低い。そこで、ガラス枠２の内部には、補強用の金属部材などが配設されている場合が多く、ランプ３ｃを２重に配設された外ガラス板４ａと内ガラス板４ｂとのそれぞれの延長線上の間に配置させることが難しい場合がある。
【００４３】
そこで、第３実施例では、かかる場合においても、ランプ３ｃによって遊技盤５の遊技領域１０を照射することができるように、ランプ３ｃと遊技領域１０との間に光伝達部材が配設されている。なお、他の部分は前記した第１実施例と同様であるので、第１実施例と同一の部分には同一の符号を付し、その説明を省略する。
【００４４】
図６に示すように、前面枠７側におけるガラス枠２の内部には、略コの字形断面の補強用金属部材３０が配設されている。ランプ３ｃが列設されたランプ取り付け基板３ｂは、その補強用金属部材３０の前方（図６における左方）に配設されている。つまり、ランプ３ｃは、２重に配設された外ガラス板４ａと内ガラス板４ｂとのそれぞれの延長線上の間には配置されていない。
【００４５】
そこで、ガラス枠２におけるランプ３ｃと遊技領域１０との間には、光伝達部材としての第１反射鏡３１と第２反射鏡３２とが配設されている。まず、ランプ３ｃの下方には、光を反射可能な第１反射鏡３１が水平に対して略４５゜の角度で傾いて配設されている。また、外ガラス板４ａと内ガラス板４ｂとをガラス枠２に固定するガラス固定部材１１の上辺１１ａの上方には、第１反射鏡３１と同様に光を反射可能な第２反射鏡３２が水平に対して略４０゜の角度で傾いて配設されている。よって、ランプ３ｃが発した光は、第１反射鏡３１で反射され第２反射鏡３２に届き、第２反射鏡３２に届いた光は第２反射鏡３２で反射され、遊技盤５の遊技領域１０に照射される。
【００４６】
従って、ランプ３ｃによって遊技盤５の遊技領域１０を直接照射することができない場合においても、光伝達部材としての第１反射鏡３１および第２反射鏡３２によって、ランプ３ｃが発する光を反射させて伝達することにより遊技盤５の遊技領域１０を照射することができる。また、かかる光伝達部材を備えていれば、ランプ３ｃと光路と遊技盤５の遊技領域１０とを一直線上に配置する必要がないので、パチンコ遊技機１の設計の自由度を維持することができるのである。
【００４７】
ここで、図６に示す第３実施例の変形例を図７に示す。図７は、図１中のＡ−Ａ線における第３実施例の変形例のガラス枠装飾部材周辺部の側断面図である。なお、理解を容易にするために、遊技盤５上の部材は省略して図示している。この変形例では、前記した第３実施例に対して、第２反射鏡３２が可動自在に構成されている。図７中の点線は、第２反射鏡３２が所定量揺動した後の状態を示している。なお、他の部分は前記した第３実施例と同様であるので、第３実施例と同一の部分には同一の符号を付し、その説明を省略する。
【００４８】
図７に示すように、第２反射鏡３２の下端部分には揺動軸３２ａが固着されており、その揺動軸３２ａはソレノイド（図示せず）に接続されている。第２反射鏡３２は、その下端部分の揺動軸３２ａを回転中心として揺動されるので、第２反射鏡３２によって反射された光は、遊技盤５の遊技領域１０を上下方向に移動しながら照射される。このように、ランプ３ｃが発する光の照射位置を移動させることにより、遊技領域１０の装飾効果を高めることができる。なお、第１反射鏡３１がガラス枠２に対して可動自在に構成されていても良い。
【００４９】
次に、図８を参照して、第４実施例について説明する。図８は、図１中のＡ−Ａ線における第４実施例のガラス枠装飾部材３周辺部の側断面図である。なお、理解を容易にするために、遊技盤５上の部材は省略して図示している。第４実施例では、前記した第３実施例に対して、次の点が変更されている。第３実施例では、光伝達部材として第１反射鏡３１と第２反射鏡３２とを用いたが、第４実施例では光伝達部材として導光板４０を用いている。
【００５０】
図８に示すように、ランプ３ｃの下方とガラス固定部材１１の上辺１１ａの上方との間には、図８の奥行き方向に板状に形成されつつ２箇所で略９０゜に屈曲された光伝達部材としての導光板４０が配設されている。この導光板４０は、一端から入射した光を断面中を屈折させて他端へと伝達することができるものである。
【００５１】
かかる導光板４０を用いれば、第３実施例に示した反射鏡では光を伝達しにくい複雑な経路であっても、ランプ３ｃが発する光を簡易な構成で確実に伝達することができる。なお、導光板４０の代わりに光ファイバーを用いても良い。光ファイバーを用いても、導光板４０を用いた場合と同様の効果を奏することができると共に、光ファイバーには柔軟性があるので、入り組んだ場所への配設が容易である。
【００５２】
以上説明したように、本実施例のパチンコ遊技機１は、ガラス枠２の前面を装飾したり、所定の遊技状態を報知するランプ３ｃが発する光によって遊技盤５の遊技領域１０を照射する。よって、遊技盤５の遊技領域１０を照射するための遊技盤照射装置をパチンコ遊技機１に別途設ける必要がないので、パチンコ遊技機１の大幅なコストアップを回避しつつ、遊技盤５の遊技領域１０を光によって明るくしたり装飾したりすることができるのである。また、遊技盤５の遊技領域１０を光によって明るくしたり装飾したりするために遊技盤５に特別な加工を施す必要がないので、従来の遊技盤５をそのまま使用することができる。さらに、かかる構成によれば、遊技盤５の遊技領域１０を照射しているランプ３ｃが遊技者から直接見えないので、パチンコ遊技機１の美観を維持することができる。
【００５３】
以上、実施例に基づき本発明を説明したが、本発明は上記実施例に何ら限定されるものではなく、本発明の趣旨を逸脱しない範囲内で種々の改良変形が可能であることは容易に推察できるものである。
【００５４】
例えば、本実施例では、発光装置であるランプ３ｃとランプ取り付け基板３ｂ，２０ａとがガラス枠２に配設されている場合について説明したが、これら発光装置が前面枠７に配設されていても良い。かかる構成のパチンコ遊技機５０の場合について、図９から図１１を参照して説明する。
【００５５】
図９は、変形例としてのパチンコ遊技機５１の正面図である。なお、図９においては、理解を容易にするために、遊技盤５５上の部材は省略して図示している。このパチンコ遊技機５１は、前述した実施例のパチンコ遊技機１と同様に第１種パチンコ遊技機であり、その略上半分の前面（図９の紙面に対して手前側）には、ガラス枠５２が配設されている。
【００５６】
このガラス枠５２は略額縁状に形成されており、その上縁部近傍には、ガラス枠５２の前面を光で装飾したり、所定の遊技状態を光で報知するガラス枠装飾部材５３の内、赤や黄色の色付き透明樹脂で形成された発光装置カバー５３ａのみが配設されている。ガラス枠５２の略中央部分には、略矩形状の開口５２ａが形成されており、その開口５２ａの後方（図９の紙面に対して奥側）には、外ガラス板５４ａと内ガラス板５４ｂとがそれぞれ配設されている。外ガラス板５４ａは、内ガラス板５４ｂよりも前方（図９の紙面に対して手前側）に配設されている。
【００５７】
内ガラス板５４ｂの後方（図９の紙面に対して奥側）には、遊技球（打球）Ｐが打ち込まれる遊技盤５５が配設されている。また、ガラス枠５２の正面に向かって左側の上下両コーナー部分には、ヒンジ５６が取り付けられており、ガラス枠５２はこのヒンジ５６を回転軸として後述する前面枠５７に対して開閉動自在に構成されている。
【００５８】
図１０を参照して、ガラス枠５２を開いた状態のパチンコ遊技機５１について説明する。図１０は、ガラス枠５２を開いた状態の変形例としてのパチンコ遊技機５１の正面図である。なお、理解を容易にするために、開いたガラス枠５２は省略して図示している。また、図９と同様に、遊技盤５５上の部材は省略して図示している。
【００５９】
図１０に示すように、パチンコ遊技機５１の略中央には、ベニヤ板で形成された略矩形状の遊技盤５５が配設されており、その遊技盤５５の周囲には、略矩形額縁状に形成された前面枠５７が周設されている。遊技盤５５の前面には略円弧状の外レール５８が植立され、その外レール５８の内側位置には円弧状の内レール５９が植立されている。この内レール５９および外レール５８により囲まれた遊技盤５５の前面には、打球（遊技球）Ｐが打ち込まれる遊技領域６０が形成されている。また、遊技領域６０の外方における遊技盤５５の表面には、遊技盤５５の表面を装飾するコーナー飾り６１が配設されている。
【００６０】
遊技盤５５の上方における前面枠５７には、ガラス枠５２の前面を光で装飾したり、所定の遊技状態を光で報知するガラス枠装飾部材５３の内、ランプ取り付け基板５３ｂが配設されており、そのランプ取り付け基板５３ｂの表面には、多数のランプ５３ｃが列設されている。このランプ５３ｃとランプ取り付け基板５３ｂとで発光装置を構成している。なお、ランプ５３ｃおよびランプ取り付け基板５３ｂは、ガラス枠５２に配設された発光装置カバー５３ａの後方（図９の紙面に対して奥側）に位置している。
【００６１】
また、前面枠５７におけるランプ取り付け基板５３ｂの下方には、仕切壁５７ａが前方（図１０の紙面に対して手前側）に突設されているが、この仕切壁５７ａにおけるランプ５３ｃの下方には、ランプ５３ｃが発する光を遊技盤５５側へ通過させるための溝５７ｂが形成されている。ここで、仕切壁５７ａにおいてランプ５３ｃが発する光を遊技盤５５側へ通過させるための構成は特に限定されるものではない。例えば、溝５７ｂの代わりに、ランプ５３ｃの下方における仕切壁５７ａに遊技盤５５側への貫通孔を設けたり、透明な部材で仕切壁５７ａを形成しても良い。
【００６２】
図１１を参照して、ガラス枠装飾部材５３の周辺部の詳細について説明する。図１１は、図９中のＣ−Ｃ線におけるガラス枠装飾部材５３周辺部の側断面図である。なお、理解を容易にするために、遊技盤５５上の部材は省略して図示している。
【００６３】
図１１に示すように、前面枠５７の前面（図１１における左方）における外ガラス板５４ａと内ガラス板５４ｂとのそれぞれの延長線上の間には、ランプ取り付け基板５３ｂに取着されたランプ５３ｃが配設されている。また、外ガラス板５４ａおよび内ガラス板５４ｂをガラス枠５２に固定するガラス固定部材６２の上辺６２ａは、透光性を有した透光部材で形成されている。そして、前述のように、ランプ５３ｃとガラス固定部材６２の上辺６２ａとの間の仕切壁５７ａには、溝５７ｂが形成されている。
【００６４】
よって、前述した実施例と同様に、ランプ５３ｃが発する光を遊技盤５５の遊技領域６０へ照射することができる。また、前述した実施例と同様に、ガラス枠５２の下方における発光装置カバー５３ａとガラス固定部材６２の上辺６２ａとの間には、ガラス枠５２の一部であると共に、ランプ５３ｃが発する光の透過を防止する遮光部材５２ｂが配設されている。
【００６５】
以下に本発明の変形例を示す。請求項１記載の遊技機において、前記発光装置の周囲には、その発光装置が発する光を前記遊技盤の遊技領域へ通過させるための光の通路である光路を備えていることを特徴とする遊技機１。かかる構成によれば、発光装置が発する光は光路を経由して遊技盤の遊技領域へ達するので、前面枠またはガラス枠の前面を装飾し又は所定の遊技状態を報知する発光装置を、遊技盤の遊技領域を照射する遊技盤照射装置として兼用することができる。
【００６６】
遊技機１において、前記光路は、前記発光装置が発する光を反射させて前記遊技盤の遊技領域へ伝達する光伝達部材を備えていることを特徴とする遊技機２。かかる構成によれば、前面枠またはガラス枠に配設された発光装置によって直接遊技盤の遊技領域を照射することができない場合においても、光伝達部材によって発光装置が発する光を反射させて伝達することにより遊技盤の遊技領域を照射することができる。また、光伝達部材を備えていれば、発光装置と光路と遊技盤の遊技領域とを一直線上に配置する必要がないので、遊技機の設計の自由度を維持することができる。
【００６７】
遊技機２において、前記光伝達部材は、反射鏡によって構成されていることを特徴とする遊技機３。
【００６８】
遊技機２において、前記光伝達部材は、一端から入射した光を断面中を屈折させて他端へと伝達する光ファイバーまたは導光板によって構成されていることを特徴とする遊技機４。かかる構成によれば、複雑な経路であっても発光装置が発する光を簡易な構成で確実に伝達することができる。
【００６９】
遊技機２から４のいずれかにおいて、前記光伝達部材は、可動自在に構成されていることを特徴とする遊技機５。かかる構成によれば、発光装置が発する光の照射位置を移動させることができるので、遊技盤の遊技領域における装飾効果を高めることができる。
【００７０】
遊技機２から５のいずれかにおいて、前記ガラス枠には所定の間隔をあけて２重にガラス板が配設されており、前記光伝達部材の一端は、その２重に配設されたガラス板の延長線上の間に位置していることを特徴とする遊技機６。
【００７１】
請求項１記載の遊技機において、前記ガラス枠には所定の間隔をあけて２重にガラス板が配設されており、前記発光装置は、２重に配設された前記ガラス板の延長線上の間に位置していることを特徴とする遊技機７。かかる構成によれば、発光装置が発する光を光伝達部材を用いることなく遊技盤の遊技領域に直接照射することができる。よって、遊技機のコストアップを回避することができる。
【００７２】
遊技機６または７において、前記ガラス枠には、２重に配設された前記ガラス板を前記ガラス枠に固定するガラス固定部材が設けられており、そのガラス固定部材は、前記発光装置または前記光伝達部材の一端と、前記遊技領域との間以外の部分に配設されていることを特徴とする遊技機８。かかる構成によれば、発光装置が発する光がガラス固定部材によって遮られるのを防止することができる。つまり、発光装置が発する光を２重に配設されたガラス板の間を通過させて、確実に遊技盤の遊技領域へ照射することができる。
【００７３】
遊技機６または７において、前記ガラス枠には、２重に配設された前記ガラス板を前記ガラス枠に固定するガラス固定部材が設けられており、そのガラス固定部材は、少なくとも前記発光装置または前記光伝達部材の一端の近傍部分が透光性を有した透光部材で形成されているか、或いは、少なくとも前記発光装置または前記光伝達部材の一端の近傍部分に孔または開口が形成されていることを特徴とする遊技機９。かかる構成によれば、発光装置が発する光を、ガラス固定部材の一部を透過させて２重に配設されたガラス板の間を通過させ、遊技盤の遊技領域へ照射することができる。特に、ガラス固定部材に孔または開口を形成する場合には、ガラス固定部材にわずかな加工を施すだけで良いので、遊技機の加工コストを抑えることができる。
【００７４】
遊技機９において、前記前面枠またはガラス枠には前記発光装置の前面を覆う発光装置カバーが配設されており、その発光装置カバーの色は、前記ガラス固定部材を形成する前記透光部材の色と異なっていることを特徴とする遊技機１０。かかる構成によれば、発光装置が発する単一色の光によって、発光装置カバーの発光色と遊技盤の遊技領域へ照射される光の色とを異ならせることができるので、あたかも２種類の発光装置が存在するかのような効果を遊技者に与えることができる。
【００７５】
遊技機６または７において、前記ガラス枠には、２重に配設された前記ガラス板を前記ガラス枠に固定するガラス固定部材が設けられており、そのガラス固定部材は、前記発光装置または前記光伝達部材の一端の反遊技領域側に配設されていることを特徴とする遊技機１１。かかる構成によれば、発光装置が発する光をガラス固定部材を通過させる必要がないので、ガラス固定部材の一部を透光性を有した部材で形成したり、孔または開口を形成したりする必要がない。さらに、発光装置または前記光伝達部材の一端と、遊技盤の遊技領域との間にはガラス固定部材が存在しないので、２重に配設されたガラス板の間に発光装置または前記光伝達部材の一端を配設することができる。よって、発光装置が発する光を、遊技盤の遊技領域に至近距離から照射することができる。
【００７６】
請求項１記載の遊技機、又は、遊技機１から１１のいずれかにおいて、前記遊技領域の外周を構成する外レールは、その一部が透光性を有した透光部材で形成されているか、或いは、その一部に孔または開口が形成されていることを特徴とする遊技機１２。かかる構成によれば、発光装置が発する光を外レールを透過させて遊技盤の遊技領域へ照射することができる。
【００７７】
遊技機１２において、前記外レールの透光部材、孔または開口は、遊技球が直接接触しない前記外レールの縁部近傍に配設または形成されていることを特徴とする遊技機１３。かかる構成によれば、外レールの一部を構成する透光部材に遊技球が接触して透光部材の透明度が落ちて、透光率が低下するのを防止することができる。また、かかる構成によれば、外レールに形成された孔または開口に遊技球が接触して遊技球の進路が変更され、遊技者に不快感を与えるのを防止することができる。
【００７８】
請求項１記載の遊技機、又は、遊技機１から１３のいずれかにおいて、前記ガラス枠または前面枠は、遊技盤の前方側へ突出して形成されていることを特徴とする遊技機１４。かかる構成によれば、遊技盤の前方側へ突出して形成されたガラス枠または前面枠の影によって遊技盤の遊技領域を暗くすることができるので、発光装置の光によって遊技盤を効果的に照らし出すことができる。
【００７９】
請求項１記載の遊技機、又は、遊技機１から１４のいずれかにおいて、前記前面枠またはガラス枠には、前記発光装置が発する光を前面枠またはガラス枠の前面に透過させるための発光装置カバーが配設されており、その発光装置カバーと前記ガラス固定部材との間には、前記発光装置が発する光の透過を防止する遮光部材が配設されていることを特徴とする遊技機１５。かかる構成によれば、発光装置が発する光は、ガラス固定部材よりも遊技機前方側に配設されたガラス板の外側（遊技機前方側）へは照射されないので、そのガラス板の表面で発光装置が発する光が反射してガラス板が光り、遊技盤の視認性を損なうのを防止することができる。
【００８０】
請求項１記載の遊技機、又は、遊技機１から１５のいずれかにおいて、前記発光装置の前面側または前記遊技領域側の内の少なくとも片方には、前記発光装置が発する光の通過と非通過とを切り替える光遮断部材が配設されていることを特徴とする遊技機１６。かかる構成によれば、前面枠またはガラス枠の前面、または遊技盤の遊技領域を個別に発光または照射することができるので、遊技機全体としての発光および照射のパターンを多様化させることができる。
【符号の説明】
【００８１】
１，５１            パチンコ遊技機（遊技機）
２，５２            ガラス枠（透明部材保持枠）
２ｂ，５２ｂ 遮光部材
３ａ，５３ａ  発光装置カバー
３ｂ，５３ｂ        ランプ取り付け基板（発光装置の一部）
３ｃ，５３ｃ        ランプ（発光装置の一部）
４ａ，５４ａ        外ガラス板（透明部材の一部）
４ｂ，５４ｂ        内ガラス板（透明部材の一部）
５，５５            遊技盤
７，５７            前面枠
８ 外レール
１０，６０          遊技領域
３１ 第１反射鏡（光伝達部材の一部）
３２ 第２反射鏡（光伝達部材の一部）
４０ 導光板（光伝達部材の一部）
Ｐ                  遊技球
【図１】
0004670983.tif 000002
【図２】
0004670983.tif 000003
【図３】
0004670983.tif 000004
【図４】
0004670983.tif 000005
【図５】
0004670983.tif 000006
【図６】
0004670983.tif 000007
【図７】
0004670983.tif 000008
【図８】
0004670983.tif 000009
【図９】
0004670983.tif 000010
【図１０】
0004670983.tif 000011
【図１１】
0004670983.tif 000012